(57)【要約】【課題】  独立して物品を保持することができる組立式保持器を提供する。【解決手段】  一枚のシートが折り曲げられて六角筒状に形成され、物品が収容される収容空間２Ａを構成する収容シリンダ２であって、六角筒の軸線方向と直交する方向に向けて開口し、収容された物品の少なくとも一部を露出させる窓部２Ｂを有する収容シリンダ２と、収容シリンダ２の軸線方向一端側開口部を閉塞する第１閉塞フラップ３であって、シートの一端側が折り曲げられて形成された第１閉塞フラップ３と、収容シリンダ２の軸線方向他端側開口部を閉塞する第２閉塞フラップ４であって、シートの他端側が折り曲げられて形成された第２閉塞フラップ４と、収容シリンダ２のうち窓部２Ｂの外縁を構成するとともに、軸線方向に延びる第１樋部５であって、物品の一部を係止可能な係止穴６が設けられた略Ｖ字状の断面形状を有する第１樋部５とを備える。【選択図】  図１
0003197904.tif 000002
【実用新案登録請求の範囲】
【請求項１】
物品を保持する組立式保持器において、
一枚のシートが折り曲げられて六角筒状に形成され、物品が収容される収容空間を構成する収容シリンダであって、六角筒の軸線方向と直交する方向に向けて開口し、収容された物品の少なくとも一部を露出させる窓部を有する収容シリンダと、
前記収容シリンダの軸線方向一端側開口部を閉塞する第１閉塞フラップであって、前記シートの一端側が折り曲げられて形成された第１閉塞フラップと、
前記収容シリンダの軸線方向他端側開口部を閉塞する第２閉塞フラップであって、前記シートの他端側が折り曲げられて形成された第２閉塞フラップと、
前記収容シリンダのうち前記窓部の外縁を構成するとともに、前記軸線方向に延びる第１樋部であって、物品の一部を係止可能な係止穴が設けられた略Ｖ字状の断面形状を有する第１樋部と
を備えることを特徴とする組立式保持器。
【請求項２】
前記第１樋部は、互いに対向する板状の第１樋面及び第２樋面を有しており、
前記係止穴は、前記第１樋面に設けられた第１係止穴及び前記第２樋面に設けられた第２係止穴を１組として構成されているとともに、前記第１係止穴と前記第２係止穴とが対向していることを特徴とする請求項１に記載の組立式保持器。
【請求項３】
前記収容シリンダのうち前記窓部を挟んで前記第１樋部と反対側に設けられた第２樋部であって、前記窓部の外縁を構成するとともに、前記軸線方向に延びる第２樋部と、
前記第２樋部のうち前記窓部の外縁から前記窓部側に延出した係止フラップであって、物品を係止可能な係止部が設けられた係止フラップと
を備えることを特徴とする請求項１又は２に記載の組立式保持器。
【請求項４】
前記第１閉塞フラップ及び前記第２閉塞フラップそれぞれは、前記収容シリンダのうち前記窓部側から延出した表側閉塞フラップ、及び前記収容シリンダのうち前記窓部と反対側から延出した裏側閉塞フラップを有しており、
前記表側閉塞フラップ及び前記裏側閉塞フラップは、前記軸線方向に並んだ状態で互いに接触していることを特徴とする請求項１ないし３のいずれか１項に記載の組立式保持器。
【考案の詳細な説明】
【技術分野】
【０００１】
本考案は、物品を保持する組立式保持器に関する。
【背景技術】
【０００２】
例えば、特許文献１に記載の組立式保持器は、組立式保持器が独立して物品を保持することができず、当該組立式保持器が固装箱等の収容箱に収納されたときに初めて物品を保持可能となる。
【先行技術文献】
【特許文献】
【０００３】
【特許文献１】特開平１１−１９８９２９号公報
【考案の概要】
【考案が解決しようとする課題】
【０００４】
本考案は、上記点に鑑み、独立して物品を保持することができる組立式保持器を提供することを目的とする。
【課題を解決するための手段】
【０００５】
本願では、物品を保持する組立式保持器において、一枚のシートが折り曲げられて六角筒状に形成され、物品が収容される収容空間（２Ａ）を構成する収容シリンダ（２）であって、六角筒の軸線方向と直交する方向に向けて開口し、収容された物品の少なくとも一部を露出させる窓部（２Ｂ）を有する収容シリンダ（２）と、収容シリンダ（２）の軸線方向一端側開口部を閉塞する第１閉塞フラップ（３）であって、シートの一端側が折り曲げられて形成された第１閉塞フラップ（３）と、収容シリンダ（２）の軸線方向他端側開口部を閉塞する第２閉塞フラップ（４）であって、シートの他端側が折り曲げられて形成された第２閉塞フラップ（４）と、収容シリンダ（２）のうち窓部（２Ｂ）の外縁を構成するとともに、軸線方向に延びる第１樋部（５）であって、物品の一部を係止可能な係止穴（６）が設けられた略Ｖ字状の断面形状を有する第１樋部（５）とを備える。
【０００６】
これにより、本考案では、六角筒状の収容シリンダ（２）に収容空間（２Ａ）が構成されているので、独立して物品を保持することができる。
因みに、上記各手段等の括弧内の符号は、後述する実施形態に記載の具体的手段等との対応関係を示す一例であり、本考案は上記各手段等の括弧内の符号に示された具体的手段等に限定されるものではない。
【図面の簡単な説明】
【０００７】
【図１】本考案の実施形形態に係る組立式保持器１を示す図である。
【図２】本考案の実施形形態に係る組立式保持器１の展開図である。
【図３】本考案の実施形形態に係る組立式保持器１を示す図である。
【図４】本考案の実施形形態に係る組立式保持器１を示す図である。
【図５】本考案の実施形形態に係る収容シリンダ２の断面図である。
【考案を実施するための形態】
【０００８】
以下に説明する「考案の実施形態」は実施形態の一例を示すものである。つまり、実用新案登録請求の範囲に記載された考案特定事項等は、下記の実施形態に示された具体的手段や構造等に限定されるものではない。
【０００９】
本実施形態は、ボトル状の試供品を保持するための組立式保持器に本考案を適用したものである。各図に付された方向を示す矢印等は、各図相互の関係を理解し易くするために記載したものである。本考案は、各図に付された方向に限定されるものではない。
【００１０】
少なくとも符号を付して説明した部材又は部位は、「複数」や「２つ以上」等の断りをした場合を除き、少なくとも１つ設けられている。以下、本考案の実施形態を図面と共に説明する。
【００１１】
（第１実施形態）
１．組立式保持器の構造
図１は、本考案の実施形態に係る組立式保持器１にボトル状の物品Ｐ等が保持された状態を示す図である。組立式保持器１は、図２に示す一枚のシートＳが折り曲げられて構成される。
【００１２】
すなわち、図１に示す収容シリンダ２は、一枚のシートＳが折り曲げられ、部位Ｓ１（図２参照）と部位Ｓ２（図２参照）とが接合されて六角筒状に形成されたものであって、少なくとも１つの物品Ｐが収容される収容空間２Ａを構成する。
【００１３】
収容シリンダ２には、収容された物品Ｐの少なくとも一部を露出させる窓部２Ｂが設けられている。窓部２Ｂは、六角筒の軸線方向（図１では、左右方向）と直交する方向に向けて開口している。なお、本実施形態に係る窓部２Ｂは矩形状の開口である。
【００１４】
収容シリンダ２は、シートＳを六角筒状に折り曲げられて構成されたものである。このため、図３Ａ及び図３Ｂに示すように、収容シリンダ２の軸線方向一端側及び他端側に開口部２Ｃ、２Ｄが形成される。第１閉塞フラップ３は一端側開口部２Ｃを閉塞する。第２閉塞フラップ４は他端側開口部２Ｄを閉塞する。
【００１５】
第１閉塞フラップ３は、シートＳの一端側が折り曲げられて形成されている。第２閉塞フラップ４は、当該シートＳの他端側が折り曲げられて形成されている。具体的には、図２に示すように、第１閉塞フラップ３は表側閉塞フラップ３Ａ及び裏側閉塞フラップ３Ｂを有して構成されている。
【００１６】
第２閉塞フラップ４は表側閉塞フラップ４Ａ及び裏側閉塞フラップ４Ｂを有して構成されている。表側閉塞フラップ３Ａ、４Ａは、収容シリンダ２のうち窓部２Ｂ側から延出した部位である。
【００１７】
裏側閉塞フラップ３Ｂ、４Ｂは、収容シリンダ２のうち窓部２Ｂと反対側２Ｅから延出した部位である。そして、表側閉塞フラップ３Ａ、４Ａ及び裏側閉塞フラップ３Ｂ、４Ｂは、図４に示すように、軸線方向（図４の左右方向）に並んだ状態で互いに接触している。本実施形態係る表側閉塞フラップ３Ａ、４Ａは、裏側閉塞フラップ３Ｂ、４Ｂより外側に位置している。なお、内側とは窓部２Ｂ側であり、外側は内側と反対側をいう。
【００１８】
第１樋部５は、軸線方向に延び、かつ、収容シリンダ２のうち窓部２Ｂの外縁を構成する。第１樋部５には、物品の一部を係止可能な係止穴６が設けられている。なお、係止穴６は、シートＳの一部が完全に切り取られた貫通穴、又はシートＳ（第１樋部５）に切り込みが施されて第１樋部５内に折り曲げられた穴等、その具体的な構造は不問である。
【００１９】
第１樋部５は、図５に示すように、略Ｖ字状の断面形状に構成されている。具体的には、第１樋部５は、折り線Ｌ１を介して連接し、かつ、互いに対向する板状の第１樋面５Ａ及び第２樋面５Ｂにて構成されている。
【００２０】
係止穴６は、第１樋面５Ａに設けられた第１係止穴６Ａ及び第２樋面５Ｂに設けられた第２係止穴６Ｂを１組として構成されている。このため、第１係止穴６Ａと第２係止穴６Ｂとは対向した位置に設けられている。
【００２１】
なお、本実施形態では、ボトル状の物品Ｐ１を保持することを想定した係止穴６であるので、図２に示すように、第１係止穴６Ａと第２係止穴６Ｂとは折り線Ｌ１に対して概ね線対称である。
【００２２】
収容シリンダ２のうち窓部２Ｂを挟んで第１樋部５と反対側には、図５に示すように、第２樋部７が設けられている。第２樋部７は、窓部２Ｂの外縁のうち第１樋部５と反対側の外縁を構成するとともに、軸線方向に延びる部位である。
【００２３】
第２樋部７も第１樋部５と同様に、折り線Ｌ２を介して連接し、かつ、互いに対向する板状の第１樋面７Ａ及び第２樋面７Ｂを有している。第１樋面７Ａ及び第２樋面７Ｂは、折り線Ｌ２を境に互いに対向して配設されている。このため、第２樋部７の断面形状も略Ｖ字状に構成されている。
【００２４】
第２樋部７のうち窓部２Ｂの外縁（本実施形態では第１樋面７Ａ）には、当該外縁から窓部２Ｂ側に延出した係止フラップ８が設けられている。係止フラップ８は、物品を係止可能な係止部８Ａ（図２参照）が設けられている。なお、本実施形態では、図１に示すように、第２樋部７内に形成される空間を利用して小型タオルやハンカチ等が収納可能な構成としている。
【００２５】
２．本実施形態に係る組立式保持器の特徴
本実施形態では、六角筒状の収容シリンダ２に収容空間２Ａが構成されているので、独立して物品を保持することができる。
【００２６】
本実施形態では、窓部２Ｂの外縁を構成する第１樋部５は、略Ｖ字状の断面形状を有するので、第１樋部５の曲げ剛性を大きくすることが可能となる。したがって、六角筒の軸線方向と直交する方向に向けて開口した窓部２Ｂを設けても収容シリンダ２（組立式保持器１）の剛性が大きく低下することを抑制できる。
【００２７】
本実施形態では、第１樋部５に物品の一部を係止可能な係止穴６が設けられている。つまり、曲げ剛性の大きい部位に係止穴６が設けられているので、物品を確実に保持することが可能となる。
【００２８】
本実施形態では、収容シリンダ２の軸線方向一端側開口部２Ｃ及び他端側開口部２Ｄそれぞれが第１閉塞フラップ３及び第２閉塞フラップ４により閉塞されているので、収容シリンダ２の剛性を高めることができる。
【００２９】
つまり、仮に、一端側開口部２Ｃ及び他端側開口部２Ｄが開放されたままであると、六角筒状の形状を維持することが難しい。そして、収容シリンダ２の筒形状が扁平状態に近づくほど、収容シリンダ２の剛性が低下する。
【００３０】
これに対して、本実施形態では、一端側開口部２Ｃ及び他端側開口部２Ｄそれぞれが第１閉塞フラップ３及び第２閉塞フラップ４により閉塞されているので、収容シリンダ２が潰れるように、その筒形状が大きく扁平してしまうことを抑制できる。したがって、収容シリンダ２の剛性が低下することを抑制できる。
【００３１】
そして、第１閉塞フラップ３及び第２閉塞フラップ４それぞれは、軸線方向に並んだ状態で互いに接触した表側閉塞フラップ３Ａ、４Ａ及び裏側閉塞フラップ３Ｂ、４Ｂにて構成されているので、窓部２Ｂ側から押圧力等の荷重が作用した場合であっても、当該荷重に対抗して収容シリンダ２の筒形状が扁平状態になることを抑制できる。
【００３２】
（その他の実施形態）
上述の実施形態では、ボトル状の物品を保持する組立式保持器１であったが、本考案はこれに限定されるものではない。
【００３３】
上述の実施形態では、組立式保持器１が単独で利用されるものであったが、本考案の利用はこれに限定されるものではなく、例えば本考案に係る組立式保持器１を固装箱等の収容箱に収納した状態で使用する、又は本考案に係る組立式保持器１を手提げ袋等に収納した状態で利用する等の利用形態であってもよい。
【００３４】
また、本考案は、実用新案登録請求の範囲に記載された考案の趣旨に合致するものであればよく、上述の実施形態に限定されるものではない。
【符号の説明】
【００３５】
１… 組立式保持器  ２… 収容シリンダ  ２Ａ… 収容空間
２Ｂ… 窓部  ３… 第１閉塞フラップ  ３Ａ… 表側閉塞フラップ
３Ｂ… 裏側閉塞フラップ  ４… 第２閉塞フラップ  ４Ａ… 表側閉塞フラップ
４Ｂ… 裏側閉塞フラップ  ５… 第１樋部  ６… 係止穴  ７… 第２樋部
８… 係止フラップ  ８Ａ… 係止部
【図１】
0003197904.tif 000003
【図２】
0003197904.tif 000004
【図３】
0003197904.tif 000005
【図４】
0003197904.tif 000006
【図５】
0003197904.tif 000007